(57)【要約】【課題】インレット部の向きが設置姿勢毎に変化して、インレット部が上方向を向く状態となった場合にも、インレット部に異物や埃などが入り込むことを抑制することができる画像読取装置を提供する。【解決手段】画像読取装置（スキャナー１）は、原稿Ｐを供給する供給部６から原稿Ｐを排出する排出部１８までの原稿搬送経路Ｒを有する装置本体２と、装置本体２を載置する載置面Ｇに対して装置本体２を複数の姿勢に切り換える切換手段３０と、原稿Ｐを読み取る読取手段２０と、装置本体２への電源の供給、または、各種外部機器との接続に用いるケーブル５５を挿入するインレット部５０と、インレット部５０を開閉する開閉部材６０と、を有し、開閉部材６０は、装置本体２が複数の姿勢のうちの一部の姿勢の時に、インレット部５０を閉じる。【選択図】図８
2020120343.tif 000002
【特許請求の範囲】
【請求項１】
原稿を供給する供給部から前記原稿を排出する排出部までの原稿搬送経路を有する装置本体と、
前記装置本体を載置する載置面に対して前記装置本体を複数の姿勢に切り換える切換手段と、
前記原稿を読み取る読取手段と、
前記装置本体への電源の供給、または、各種外部機器との接続に用いるケーブルを挿入するインレット部と、
前記インレット部を開閉する開閉部材と、を有し、
前記開閉部材は、前記装置本体が前記複数の姿勢のうちの一部の姿勢の時に、前記インレット部を閉じることを特徴とする画像読取装置。
【請求項２】
請求項１に記載の画像読取装置であって、
前記装置本体の前記複数の姿勢は、
前記原稿搬送経路からの前記原稿の排出方向が前記載置面に対して第１の傾斜角をとる第１姿勢と、
前記排出方向が前記載置面に対して前記第１の傾斜角より垂直に近い第２の傾斜角をとるか或いは前記排出方向が垂直となり、前記インレット部が前記第１姿勢に比べて上方向を向く第２姿勢と、
前記排出方向が前記載置面に対して前記第１の傾斜角より水平に近い第３の傾斜角をとるか或いは前記排出方向が水平となり、前記インレット部が前記第１姿勢に比べて下方向を向く第３姿勢と、に切り換え可能であり、
前記第２姿勢の時に前記開閉部材が前記インレット部を閉じることを特徴とする画像読取装置。
【請求項３】
請求項２に記載の画像読取装置であって、
前記開閉部材は、前記第２姿勢の時に自重で閉じることを特徴とする画像読取装置。
【請求項４】
請求項１または請求項２に記載の画像読取装置であって、
前記開閉部材は、磁気部材により閉じられることを特徴とする画像読取装置。
【請求項５】
請求項１または請求項２に記載の画像読取装置であって、
前記開閉部材は、弾性部材により閉じられることを特徴とする画像読取装置。
【請求項６】
請求項１〜請求項５のいずれか一項に記載の画像読取装置であって、
前記開閉部材は、第１面及び第２面を有する曲げ形状部を備えていることを特徴とする画像読取装置。
【請求項７】
請求項１〜請求項６のいずれか一項に記載の画像読取装置であって、
前記開閉部材は、閉じた状態において、前記装置本体と係合する係合部を有していることを特徴とする画像読取装置。
【発明の詳細な説明】
【技術分野】
【０００１】
本発明は、画像読取装置に関する。
【背景技術】
【０００２】
従来、特許文献１のように、画像読取装置の設置姿勢を設置環境や使用状況に応じて変更できる構成が開示されている。なお、画像読取装置の設置姿勢を変更するとは、画像読取装置が載置される載置面に対して装置本体を所定の傾斜角度となるように姿勢を変更することである。
【先行技術文献】
【特許文献】
【０００３】
【特許文献１】特表２００９−５２７１４３号公報
【発明の概要】
【発明が解決しようとする課題】
【０００４】
しかしながら、画像読取装置の設置姿勢を変更した場合、装置本体に構成されて電源ケーブルなどが接続されるインレット部の向きも設置姿勢毎に変化する。その場合、設置姿勢によっては、インレット部が上方向を向く状態となり、インレット部に異物や埃などが入りやすくなるという課題がある。
【課題を解決するための手段】
【０００５】
本願の画像読取装置は、原稿を供給する供給部から前記原稿を排出する排出部までの原稿搬送経路を有する装置本体と、前記装置本体を載置する載置面に対して前記装置本体を複数の姿勢に切り換える切換手段と、前記原稿を読み取る読取手段と、前記装置本体への電源の供給、または、各種外部機器との接続に用いるケーブルを挿入するインレット部と、前記インレット部を開閉する開閉部材と、を有し、前記開閉部材は、前記装置本体が前記複数の姿勢のうちの一部の姿勢の時に、前記インレット部を閉じることを特徴とする。
【０００６】
上記の画像読取装置において、前記装置本体の前記複数の姿勢は、前記原稿搬送経路からの前記原稿の排出方向が前記載置面に対して第１の傾斜角をとる第１姿勢と、前記排出方向が前記載置面に対して前記第１の傾斜角より垂直に近い第２の傾斜角をとるか或いは前記排出方向が垂直となり、前記インレット部が前記第１姿勢に比べて上方向を向く第２姿勢と、前記排出方向が前記載置面に対して前記第１の傾斜角より水平に近い第３の傾斜角をとるか或いは前記排出方向が水平となり、前記インレット部が前記第１姿勢に比べて下方向を向く第３姿勢と、に切り換え可能であり、前記第２姿勢の時に前記開閉部材が前記インレット部を閉じることが好ましい。
【０００７】
上記の画像読取装置において、前記開閉部材は、前記第２姿勢の時に自重で閉じることが好ましい。
【０００８】
上記の画像読取装置において、前記開閉部材は、磁気部材により閉じられることが好ましい。
【０００９】
上記の画像読取装置において、前記開閉部材は、弾性部材により閉じられることが好ましい。
【００１０】
上記の画像読取装置において、前記開閉部材は、第１面及び第２面を有する曲げ形状部を備えていることが好ましい。
【００１１】
上記の画像読取装置において、前記開閉部材は、閉じた状態において、前記装置本体と係合する係合部を有していることが好ましい。
【図面の簡単な説明】
【００１２】
【図１】第１実施形態に係るスキャナーにおいて第２姿勢となる装置本体を示す斜視図。
【図２】スキャナーの原稿搬送経路を示す側断面図。
【図３】装置本体を装置前面側から見た斜視図。
【図４】第１姿勢の装置本体を示す側面図。
【図５】第２姿勢の装置本体を示す側面図。
【図６】第３姿勢の装置本体を示す側面図。
【図７】第１姿勢の装置本体を装置背面側から見た斜視図。
【図８】インレット部と開閉部材との要部を示す斜視図。
【図９】装置本体が第２姿勢での開閉部材の状態を示す概断面図。
【図１０】装置本体が第３姿勢での開閉部材の状態を示す概断面図。
【図１１】第２実施形態に係るインレット部と開閉部材との要部を示す斜視図。
【図１２】開閉部材を閉じるための戻しばねを示す概側断面図。
【図１３】インレット部と開閉部材とが係合された状態を示す概断面図。
【発明を実施するための形態】
【００１３】
［第１実施形態］
本発明の実施形態に係る画像読取装置の概略について、図を参照しつつ説明する。本実施形態では画像読取装置の一例として、原稿Ｐの表面及び裏面の少なくとも一面を読み取り可能なスキャナー１を例に挙げる。スキャナー１は、書類等の原稿Ｐを読み取る、いわゆるドキュメントスキャナーである。
【００１４】
各図は、ＸＹＺ座標系を用いて示している。Ｘ方向を装置幅方向とし、Ｙ方向を装置奥行方向とする。Ｚ方向を高さ方向としている。また、＋Ｙ方向を装置前面側とし、−Ｙ方向を装置背面側とする。また、装置前面側から見て左側を＋Ｘ方向、右側を−Ｘ方向とする。また、＋Ｚ方向を装置上方とし、−Ｚ方向を装置下方とする。また、原稿Ｐが給送されていく方向を「下流」といい、これと反対の方向を「上流」という。
【００１５】
図１は、第１実施形態に係るスキャナー１において、第２姿勢となる装置本体２を示す斜視図である。図２は、スキャナー１の原稿搬送経路Ｒを示す側断面図である。図３は、装置本体２を装置前面側から見た斜視図である。なお、図２、図３は、第１姿勢となる装置本体２を示している。図１から図３を参照して、本実施形態に係るスキャナー１について説明する。
【００１６】
図１に示す画像読取装置の一例としてのスキャナー１は、図２に示すように、原稿Ｐを読み取る読取手段２０を備えている。原稿Ｐは、原稿Ｐを供給する供給部６から、原稿Ｐを排出する排出部１８までの原稿搬送経路Ｒを搬送される。スキャナー１は、原稿Ｐを読取手段２０に向けて送る原稿搬送装置１０を備えている。
【００１７】
原稿搬送装置１０は、図２に示す原稿搬送経路Ｒを有する装置本体２を備えている。装置本体２は、下部ユニット３と上部ユニット４とを備えている。下部ユニット３は、装置本体２の下側部分を構成する。上部ユニット４は、排出部１８側に設けられる回動軸４ａに対して回動する。そして、上部ユニット４は、図２において実線で示すように下部ユニット３を覆う閉状態と、図２において点線で示すように下部ユニット３を開放する開状態と、を切り換え可能に構成される。
【００１８】
また、図２に示すように、装置本体２の上方には給送トレイ８が設けられている。本実施形態の給送トレイ８は、装置本体２に設けられる回動軸８ａに対して回動可能に設けられている。給送トレイ８には、図２、図３に示すように、原稿Ｐの原稿搬送方向と交差する幅方向（Ｘ軸方向）の側端をガイドする左右一対のエッジガイド１２、１２が設けられている。エッジガイド１２、１２は、原稿Ｐのサイズに応じてＸ軸方向にスライド移動可能に設けられている。本実施形態において、エッジガイド１２、１２は、公知のラックピニオン機構により＋Ｘ側のエッジガイド１２のＸ移動に追従して、−Ｘ側のエッジガイド１２が相対する方向に移動するように構成されている。給送トレイ８において、図２に示すように、原稿Ｐは幅方向の中央に揃えられ、幅方向の中央領域に設けられる後述の給送ローラー１４により給紙されるように構成されている。
【００１９】
また、給送トレイ８は、図３に示すように、給送トレイ８に対して、自由端側に進出する状態と、図１に示すように給送トレイ８内に収納される状態と、を切り換え可能な補助給送トレイ９を備えている。補助給送トレイ９は、３段のトレイ９ａ，９ｂ，９ｃによって構成されている。補助給送トレイ９を、図３に示す状態とすることにより、給送トレイ８の長さを延長することができる。従って、給送トレイ８において、原稿Ｐをより確実に支持することができる。また、スキャナー１の非使用時には、補助給送トレイ９を図１に示す状態とすることにより、装置本体２の供給部６を覆うカバーとして機能し、装置をコンパクト化することができる。
【００２０】
また、図１から図３に示すように、装置本体２の下方には排出トレイ５が設けられている。本実施形態の排出トレイ５は、装置本体２に設けられる回動軸５ａ（図２）に対して回動可能に設けられ、図２に示すように、原稿搬送経路Ｒから排出される原稿Ｐを支持する状態と、図１に示すように装置本体２の一部を覆う状態と、を切り換え可能に構成されている。
【００２１】
また、排出トレイ５は、排出トレイ５に対して、自由端側に進出する状態と、排出トレイ５内に収納される状態（図３参照）と、を切り換え可能な補助排出トレイ１１を備えている。補助排出トレイ１１は、３段のトレイによって構成されている。従って、排出トレイ５において、原稿Ｐをより確実に支持することができる。また、スキャナー１の非使用時には、補助排出トレイを図１に示す状態とすることにより、装置本体２を覆うカバーとして機能し、装置をコンパクト化することができる。
【００２２】
上部ユニット４には、図２、図３に示すように、装置操作に係る内容を表示する操作パネル７が設けられている。操作パネル７は、一例としてタッチパネル式に構成することができ、装置操作に係る内容の表示に加え、各種設定、読み取り実行等の操作を行えるようにすることができる。また、装置本体２には、スキャナー１における各種制御を実行する制御手段１９が設けられている。
【００２３】
図２に示すように、給送トレイ８から原稿Ｐが供給される原稿搬送経路Ｒには、原稿搬送方向上流から順に、給送ローラー１４及び分離ローラー１５、第１搬送ローラー対１６、読取手段２０、第２搬送ローラー対１７が配置されている。
【００２４】
給送トレイ８に載置された原稿Ｐは、給送ローラー１４によりピックアップされて第１搬送ローラー対１６に向けて送られる。分離ローラー１５は、給送ローラー１４と対向する位置に備えられ、給送ローラー１４との間で原稿Ｐをニップして原稿Ｐを分離する。
【００２５】
第１搬送ローラー対１６は、給送ローラー１４によって給送された原稿Ｐを読取手段２０に向けて搬送する。第１搬送ローラー対１６も、給送ローラー１４と同様に、幅方向であるＸ軸方向において中央領域に設けられている。
【００２６】
読取手段２０は、上部ユニット４側に設けられた第１読取部２０ａと、下部ユニット３側に設けられた第２読取部２０ｂとを備えている。本実施形態において、第１読取部２０ａ及び第２読取部２０ｂは一例として密着型イメージセンサーモジュール（ＣＩＳＭ）として構成されている。第１読取部２０ａは、原稿Ｐにおいて上側を向く面を読み取り、第２読取部２０ｂはその反対面となる原稿Ｐの下側を向く面を読み取る。
【００２７】
原稿Ｐは、少なくとも一方の面を読取手段２０において読み取られた後、読取手段２０の下流に位置する第２搬送ローラー対１７にニップされて、下部ユニット３の装置前方に設けられた排出部１８から排出されるなお、本実施形態において給送ローラー１４、分離ローラー１５、第１駆動ローラー１６ａ、及び第２駆動ローラー１７ａは、不図示の駆動源によって回転駆動される。
【００２８】
装置本体２を載置する載置面Ｇに対して装置本体２を複数の姿勢に切り換える切換手段３０について説明する。なお、本実施形態では、切換手段３０により、複数の姿勢として、第１姿勢、第２姿勢、第３姿勢の３つの姿勢に切り換える。
本実施形態において、装置本体２は、図２に示す本体支持部材３１によって支持されており、切換手段３０は、本体支持部材３１が支持する装置本体２の支持位置を変えることにより、装置本体２の姿勢を切り換える構成である。
【００２９】
本体支持部材３１は、装置本体２の下部ユニット３が載置される基部３３と、基部３３の幅方向の両側に設けられた支持部３２と、を備えている。支持部３２は、下部ユニット３に設けられたスリット４１（図７参照）から差し込まれて、回動軸部３２ａ（図２参照）が下部ユニット３の内側に取り付けられる。下部ユニット３の底部４２には、円弧に沿ってラック４５（図７参照）が設けられている。また、本体支持部材３１の基部３３には、ピニオン（図示省略）が設けられている。そして、装置本体２は、ピニオンとラック４５とが噛合するとともに、下部ユニット３が回動軸部３２ａに対して回動した場合に回転する。このように構成される切換手段３０により、下部ユニット３の安定した回動を実現している。
【００３０】
また、下部ユニット３の底部４２には、円弧に沿って係合部としての３つの係合凹部（図示省略）を備えている。そして、本体支持部材３１の基部３３には、３つの係合凹部と係合する係合部としての１つの係合凸部（図示省略）を備えている。なお、係合凸部はローラーを備えている。そして、下部ユニット３の回動に応じて、係合凸部が、３つの係合凹部とそれぞれ係合することにより、装置本体２は、後述する第１姿勢、第２姿勢、第３姿勢の状態を保持することができる。
【００３１】
図４は、第１姿勢の装置本体２を示す側面図である。図５は、第２姿勢の装置本体２を示す側面図である。図６は、第３姿勢の装置本体２を示す側面図である。
上述したように、装置本体２は、切換手段３０によって、装置本体２を載置する載置面Ｇに対する姿勢を切り換え可能に構成されている。
【００３２】
図４に示すように、装置本体２の第１姿勢は、原稿搬送経路Ｒからの原稿Ｐの排出方向が載置面Ｇに対して第１の傾斜角θ１をとる姿勢である。図５に示すように、装置本体２の第２姿勢は、原稿搬送経路Ｒからの原稿Ｐの排出方向が載置面Ｇに対して第１の傾斜角θ１より垂直に近い第２の傾斜角θ２をとるか、或いは排出方向が垂直となる姿勢である。本実施形態において、第２の傾斜角θ２は、第１の傾斜角θ１よりも大きい角度である。つまりθ２＞θ１である。
【００３３】
図６に示すように、装置本体２の第３姿勢は、排出方向が載置面Ｇに対して第１の傾斜角θ１より水平に近い第３の傾斜角θ３をとるか、或いは排出方向が水平となる姿勢である。本実施形態において、第３の傾斜角θ３は、第１の傾斜角θ１よりも小さい角度である。つまりθ３＜θ１である。
【００３４】
図７は、第１姿勢の装置本体２を装置背面側から見た斜視図である。
図７に示すように、装置本体２は、給送トレイ８の装置背面側で、下部ユニット３の上側の外面３ａにおいて、幅方向の略中央で一段下がった位置に、インレット部５０を備えている。インレット部５０は、ケーブル５５を接続する端子５１を備えて構成さている。装置本体２に接続されるケーブル５５としては、装置本体２への電源の供給を行う電源ケーブルや、パーソナルコンピューター等の各種外部機器との接続用ケーブル等が挙げられる。なお、インレット部５０の端子５１は、装置本体２の姿勢に関わらず、ケーブル５５を挿抜可能に配置されている。
【００３５】
ここで、装置本体２の姿勢が第１姿勢の時のインレット部５０の向く方向を基準とした場合、第２姿勢においては、インレット部５０は第１姿勢に比べて上方向（＋Ｚ方向）を向く状態となり、第３姿勢においては、インレット部は第１姿勢に比べて下方向（−Ｚ方向）を向く状態となる。なお、インレット部５０の向く方向とは、インレット部５０において、開閉部材６０がインレット部５０を閉じる側としている。
【００３６】
図８は、インレット部５０と開閉部材６０との要部を示す斜視図である。なお、図８では、開閉部材６０がインレット部５０の開口を開いた状態を実線で示し、閉じた状態を二点鎖線で示している。
【００３７】
図７、図８に示すように、インレット部５０には、外面３ａに沿った一様な外面形状に構成され、インレット部５０を開閉する板状の開閉部材６０が設置されている。開閉部材６０は、第１面６０ａ及び第２面６０ｂを有する曲げ形状部を備えている。
【００３８】
図８に示すように、開閉部材６０は、下部ユニット３に回動自在に係合し、左右方向の側端面の上側両端部から幅方向にそれぞれ突出する突出部６１を備えている。突出部６１は、円柱形状をなしており、突出部６１に相対する下部ユニット３の壁部には、突出部６１と係合する係合受け部（図示省略）が形成されている。開閉部材６０は、この突出部６１が下部ユニット３の係合受け部と係合することにより、突出部６１を回動軸として自由に回動する。
【００３９】
また、インレット部５０の壁部には、インレット部５０の内部に向かって突出する支持部５３が相対して一対形成されている。開閉部材６０がインレット部５０を閉じた場合、開閉部材６０がこの支持部５３に当接することで閉じた際の位置が決まる。なお、本実施形態では、開閉部材６０がインレット部５０を閉じた場合、開閉部材６０に設置される磁気部材６２が、インレット部５０の支持部５３に設置される磁気部材５２に当接する。
【００４０】
この支持部５３の開閉部材６０が当接する部位には磁気部材５２が設置されている。インレット部５０の開口を開閉部材６０が閉じた際、磁気部材５２に当接する開閉部材６０の部位には、磁気部材５２と吸引し合う磁気部材６２が設置されている。磁気部材６２と磁気部材５２とは、極性が異なる面が相対するように設置されている。
【００４１】
開閉部材６０及びインレット部５０が上述したように構成されることにより、図７に示すように、装置本体２が第１姿勢に維持される場合、開閉部材６０は、開閉部材６０自体の自重により、突出部６１を回動軸として回転し、インレット部５０を途中まで閉じる。その後、開閉部材６０は、磁気部材６２と磁気部材５２とが吸引し合うことにより、支持部５３に当接して支持され、インレット部５０を閉じることになる。これにより、装置本体２が第１姿勢の状態の時、インレット部５０は、斜め上方向を向く状態となるが、開閉部材６０により、インレット部５０の開口が閉じられることにより、異物や埃などがインレット部５０の内部に侵入することが抑制される。
【００４２】
なお、本実施形態では、インレット部５０を閉じるとは、完全に閉じる状態や、途中まで閉じる状態を含んでいる。従って、完全に閉じていなくても、途中まで閉じることでも、異物や埃などがインレット部５０の内部に侵入することを抑制する効果を奏することができる。
【００４３】
図９は、装置本体２が第２姿勢の状態での開閉部材６０の状態を示す概断面図である。なお、図９では、要部となるインレット部５０及び開閉部材６０を断面図で図示している。図９に示すように、装置本体２が第２姿勢を維持する場合にも、開閉部材６０は、開閉部材６０自体の自重により、突出部６１を回動軸として回転し、インレット部５０を閉じる。併せて、開閉部材６０は、磁気部材６２と磁気部材５２とが吸引し合うとともに、支持部５３に支持され、インレット部５０を閉じることになる。これにより、装置本体２が第２姿勢の状態の時、インレット部５０が第１姿勢に比べて上方向を向く状態となるが、開閉部材６０により、インレット部５０は閉じられることにより、異物や埃などがインレット部５０の内部に侵入することは抑制される。
【００４４】
図１０は、装置本体２が第３姿勢の状態での開閉部材６０の状態を示す概断面図である。なお、図１０では、要部となるインレット部５０及び開閉部材６０を断面図で図示している。図１０に示すように、装置本体２が第３姿勢を維持する場合には、ケーブル５５が背面方向となる−Ｙ方向に延び出ることにより、開閉部材６０はケーブル５５に押圧されて、インレット部５０を開く方向に回動する。しかし、この状態においては、インレット部５０が第１姿勢に比べて下方向を向くため、異物や埃などがインレット部５０の内部に侵入することは抑制される。
【００４５】
以上、本実施形態に係るスキャナー１によれば、以下の効果を得ることができる。
【００４６】
本実施形態のスキャナー１によれば、スキャナー１は、原稿搬送経路Ｒを有する装置本体２と、装置本体２を載置する載置面Ｇに対して装置本体２を３つの姿勢に切り換える切換手段３０と、原稿Ｐを読み取る読取手段２０と、装置本体２への電源の供給、または、各種外部機器との接続に用いるケーブル５５を挿入するインレット部５０と、インレット部５０を開閉する開閉部材６０と、を有している。そして、載置面Ｇに対して装置本体２の姿勢が切り換わると、切り換わり後の姿勢に応じ、インレット部５０が開閉部材６０により閉じられる。なお、装置本体２が３つの姿勢（複数の姿勢）のうち、第２の姿勢の時には、インレット部５０を完全に閉じることができる。これにより、インレット部５０の内部に異物や埃などが侵入することを抑制することができる。
【００４７】
本実施形態のスキャナー１によれば、装置本体２の３つの姿勢は、原稿搬送経路Ｒからの原稿Ｐの排出方向が載置面Ｇに対して第１の傾斜角θ１をとる第１姿勢と、排出方向が載置面Ｇに対して第１の傾斜角θ１より垂直に近い第２の傾斜角θ２をとるか或いは排出方向が垂直となる第２姿勢と、排出方向が載置面Ｇに対して第１の傾斜角θ１より水平に近い第３の傾斜角θ３をとるか或いは排出方向が水平となる第３姿勢と、に切り換え可能である。そして、インレット部５０が第１姿勢に比べて上方向を向く第２姿勢の時に開閉部材６０がインレット部５０を閉じる。これにより、上述した３姿勢のうち、インレット部５０の内部に最も異物や埃などが侵入しやすくなる第２姿勢に対して、侵入を抑制することができる。
【００４８】
本実施形態のスキャナー１によれば、開閉部材６０は、第２姿勢の時に自重で閉じる。また、開閉部材６０は、開閉部材６０側に設置される磁気部材６２とインレット部５０側に設置される磁気部材５２により閉じられる。これにより、自重を利用してインレット部５０を閉じることで効率的に閉じることができることに加えて、磁気部材６２，５２を利用して閉じることができるため、確実にインレット部５０を閉じることができる。
【００４９】
本実施形態のスキャナー１によれば、開閉部材６０は、第１面６０ａ及び第２面６０ｂを有する曲げ形状部を備えている。これにより、装置本体２の外面に沿った形状に形成することができ、一体感のある外観とすることができる。
【００５０】
［第２実施形態］
図１１は、第２実施形態に係るインレット部５０Ａ及び開閉部材６０Ａとの要部を示す斜視図である。図１２は、開閉部材６０Ａを閉じるための戻しばね６６を示す概側断面図である。図１３は、インレット部５０Ａと開閉部材６０Ａとが係合された状態を示す概断面図である。なお、図１１は、装置本体２が第１姿勢の状態での斜視図としている。また、図１２、図１３は、装置本体２が第２姿勢の状態での断面図としている。また、図１１において、開閉部材６０Ａがインレット部５０Ａの開口を開いた状態を実線で示し、閉じた状態を二点鎖線で示している。図１２において、開閉部材６０Ａがインレット部５０Ａを開いた状態を二点鎖線で示し、閉じた状態を実線で示している。
【００５１】
図１１に示すように、本実施形態のスキャナー１Ａにおいて、本実施形態のインレット部５０Ａや、開閉部材６０Ａの位置及び形状などは、第１実施形態のインレット部５０、開閉部材６０と略同様に構成されている。異なるのは、本実施形態の開閉部材６０Ａは、インレット部５０Ａを閉じるために、弾性部材としての戻しばね６６を用いている点である。また、係合部として開閉部材６０Ａに係合部６７と、係合部６７に係合させるため、インレット部５０Ａには係合受け部５７を有している点である。
【００５２】
本実施形態の開閉部材６０Ａは、回動軸となる突出部６１の一方に、弾性部材としての戻しばね６６が設置されている。戻しばね６６は、図１２に示すように、いわゆるねじりコイルばねで構成されている。戻しばね６６は、コイル部６６ａに突出部６１を相通し、一方のアーム部６６ｂをインレット部５０Ａ（下部ユニット３）に固定し、他方のアーム部６６ｃを開閉部材６０Ａに固定している。
【００５３】
戻しばね６６は、図１２に示すように、アーム部６６ｂ，６６ｃの角度を開いた場合、その角度を元に戻そうとする力が働く。従って、戻しばね６６は、図１２に実線で示すように、開閉部材６０Ａを、インレット部５０Ａの開口を閉じた状態から、二点鎖線で示すように開いた状態に回動させた場合、開閉部材６０Ａを閉じる方向に力が働く。
【００５４】
開閉部材６０Ａの第１面６０ａで、幅方向の両側端面には、図１１、図１２に示すように、それぞれ係合部６７が形成されている。係合部６７は、アーム部６７ａと断面逆三角形状の引掛け部６７ｂとで構成されている。また、インレット部５０Ａには、係合部６７（引掛け部６７ｂ）に係合させるために、対応するインレット部５０Ａの側壁に断面三角形状の係合受け部５７が形成されている。
【００５５】
開閉部材６０Ａがインレット部５０Ａを閉じた場合、開閉部材６０Ａの係合部６７とインレット部５０Ａの係合受け部５７とを係合させる。詳細には、開閉部材６０Ａが戻しばね６６により、インレット部５０Ａの開口を閉じる方向に回転した場合、開閉部材６０Ａは、係合部６７の引掛け部６７ｂの先端部がインレット部５０Ａの係合受け部５７に当接する。その後、使用者が、開閉部材６０Ａを更に閉じる方向に押圧することにより、図１３に示すように、係合部６７と係合受け部５７とが係合する。
【００５６】
また、インレット部５０Ａには、図１１、図１２に示すように、インレット部５０Ａの内部に向かって突出する支持部５４が相対して一対形成されている。開閉部材６０Ａがインレット部５０Ａを閉じ、併せて係合部６７と係合受け部５７とが係合した場合、開閉部材６０Ａがこの支持部５４に当接することで閉じた際の位置が決まる。
【００５７】
開閉部材６０Ａ及びインレット部５０Ａが上述したように構成されることにより、第１実施形態の図７と同様に、装置本体２が第１姿勢に維持される場合、図１２に示すように、開閉部材６０Ａは、戻しばね６６の動作により、突出部６１を回動軸として回転し、インレット部５０Ａを閉じる。併せて、図１３に示すように、開閉部材６０Ａの係合部６７とインレット部５０Ａの係合受け部５７とを係合させ、また、支持部５４に当接して支持され、インレット部５０Ａを閉じることになる。これにより、装置本体２が第１姿勢の状態の時、インレット部５０Ａは、斜め上方向を向く状態となるが、開閉部材６０Ａにより、インレット部５０Ａの開口が閉じられることにより、異物や埃などがインレット部５０Ａの内部に侵入することが抑制される。
【００５８】
また、図示は省略するが、第１実施形態の図９と同様に、装置本体２が第２姿勢を維持する場合にも、開閉部材６０Ａは、戻しばね６６の動作により、突出部６１を回動軸として回転し、インレット部５０Ａを閉じる。併せて、開閉部材６０Ａの係合部６７とインレット部５０Ａの係合受け部５７とを係合させ、また、支持部５４に当接して支持され、インレット部５０Ａを閉じることになる。これにより、装置本体２が第２姿勢の状態の時、インレット部５０Ａは、上方向を向く状態となるが、開閉部材６０Ａにより、インレット部５０Ａは閉じられることにより、異物や埃などがインレット部５０Ａの内部に侵入することは抑制される。
【００５９】
また、図示は省略するが、第１実施形態の図１０と同様に、装置本体２が第３姿勢を維持する場合には、ケーブル５５が背面方向となる−Ｙ方向に延び出ることにより、開閉部材６０Ａはケーブル５５に押圧され、係合が解除され、インレット部５０Ａを開く方向に回動する。しかし、この状態においては、インレット部５０Ａが第１姿勢に比べて下方向を向くため、異物や埃などがインレット部５０Ａの内部に侵入することは抑制される。
【００６０】
以上、本実施形態に係るスキャナー１Ａによれば、以下の効果を得ることができる。
【００６１】
本実施形態のスキャナー１Ａによれば、開閉部材６０Ａは、弾性部材としての戻しばね６６によりインレット部５０Ａの開口を閉じる構成となっている。これにより、容易な構成の開閉部材６０Ａで、インレット部５０Ａの開口を閉じることができる。従って、異物や埃などのインレット部５０Ａへの侵入を抑制することができる。
【００６２】
本実施形態のスキャナー１Ａによれば、開閉部材６０Ａは、閉じた状態において、装置本体２（下部ユニット３）と係合する係合部６７を有している。従って、戻しばね６６でインレット部５０Ａを閉じることに加えて、係合部６７を利用して閉じることができるため、確実にインレット部５０Ａを閉じることができる。
【００６３】
なお、本発明は上述した実施形態に限定されず、上述した実施形態に種々の変更や改良などを加えることが可能である。変形例を以下に述べる。
【００６４】
＜変形例１＞
第１実施形態のスキャナー１において、開閉部材６０に磁気部材６２を設置し、インレット部５０に磁気部材５２を設置している。しかし、磁気部材６２，５２を設置せずに、開閉部材６０の自重のみでインレット部５０を閉じることでもよく、第２姿勢においては自重のみでインレット部５０の開口を閉じることができる。また、第１姿勢においても、自重のみで閉じる方向に回転し、ケーブル５５に当接する状態で開閉部材６０はインレット部５０を閉じるため、異物や埃などのインレット部５０への侵入を抑制することができる。
【００６５】
＜変形例２＞
第１実施形態のスキャナー１において、開閉部材６０に磁気部材６２を設置し、インレット部５０にも磁気部材５２を設置している。しかし、これには限定されず、開閉部材６０またはインレット部５０のいずれか一方に磁気部材を設置し、いずれか他方に磁気部材に吸引される部材、例えば鉄部材を設置することでもよい。
【００６６】
＜変形例３＞
第２実施形態のスキャナー１Ａにおいて、弾性部材としての戻しばね６６は、ねじりコイルばねで構成されている。しかし、これには限定されず、引張りコイルばね等を含めたばね部材であれば容易に構成することができる。
【００６７】
以下に、上記実施形態から導き出される内容を記載する。
【００６８】
画像読取装置は、原稿を供給する供給部から前記原稿を排出する排出部までの原稿搬送経路を有する装置本体と、前記装置本体を載置する載置面に対して前記装置本体を複数の姿勢に切り換える切換手段と、前記原稿を読み取る読取手段と、前記装置本体への電源の供給、または、各種外部機器との接続に用いるケーブルを挿入するインレット部と、前記インレット部を開閉する開閉部材と、を有し、前記開閉部材は、前記装置本体が前記複数の姿勢のうちの一部の姿勢の時に、前記インレット部を閉じることを特徴とする。
【００６９】
この構成によれば、画像読取装置は、原稿搬送経路を有する装置本体と、装置本体を載置する載置面に対して装置本体を複数の姿勢に切り換える切換手段と、原稿を読み取る読取手段と、装置本体への電源の供給、または、各種外部機器との接続に用いるケーブルを挿入するインレット部と、インレット部を開閉する開閉部材と、を有している。そして、載置面に対して装置本体の姿勢が切り換わると、複数の姿勢のうちの一部の姿勢の時に、インレット部が開閉部材により閉じられる。これにより、インレット部の内部に異物や埃などが侵入することを抑制することができる。
【００７０】
上記、画像読取装置において、前記装置本体の前記複数の姿勢は、前記原稿搬送経路からの前記原稿の排出方向が前記載置面に対して第１の傾斜角をとる第１姿勢と、前記排出方向が前記載置面に対して前記第１の傾斜角より垂直に近い第２の傾斜角をとるか或いは前記排出方向が垂直となり、前記インレット部が前記第１姿勢に比べて上方向を向く第２姿勢と、前記排出方向が前記載置面に対して前記第１の傾斜角より水平に近い第３の傾斜角をとるか或いは前記排出方向が水平となり、前記インレット部が前記第１姿勢に比べて下方向を向く第３姿勢と、に切り換え可能であり、前記第２姿勢の時に前記開閉部材が前記インレット部を閉じることが好ましい。
【００７１】
この構成によれば、装置本体の複数の姿勢は、原稿搬送経路からの原稿の排出方向が載置面に対して第１の傾斜角をとる第１姿勢と、排出方向が載置面に対して第１の傾斜角より垂直に近い第２の傾斜角をとるか或いは排出方向が垂直となる第２姿勢と、排出方向が載置面に対して第１の傾斜角より水平に近い第３の傾斜角をとるか或いは排出方向が水平となる第３姿勢と、に切り換え可能である。そして、インレット部が第１姿勢に比べて上方向を向く第２姿勢の時に開閉部材がインレット部を閉じる。これにより、上述した３姿勢のうち、最もインレット部の内部に異物や埃などが侵入しやすくなる第２姿勢に対して、侵入を抑制することができる。
【００７２】
上記、画像読取装置において、前記開閉部材は、前記第２姿勢の時に自重で閉じることが好ましい。
【００７３】
この構成によれば、開閉部材は、第２姿勢の時に自重を利用してインレット部を閉じることができるため効率的である。
【００７４】
上記、画像読取装置において、前記開閉部材は、磁気部材により閉じられることが好ましい。
【００７５】
この構成によれば、開閉部材は、開閉部材に設置される磁気部材により閉じられる。これにより、確実にインレット部を閉じることができる。
【００７６】
上記、画像読取装置において、前記開閉部材は、弾性部材により閉じられることが好ましい。
【００７７】
この構成によれば、開閉部材は、弾性部材によりインレット部を閉じる。これにより、容易な構成で、開閉部材でインレット部の開口を閉じることができる。従って、インレット部の内部に異物や埃などが侵入することを抑制することができる。
【００７８】
上記、画像読取装置において、前記開閉部材は、第１面及び第２面を有する曲げ形状部を備えていることが好ましい。
【００７９】
この構成によれば、開閉部材は、第１面及び第２面を有する曲げ形状部を備えている。これにより、装置本体の外面に沿った形状に形成することができ、一体感のある外観とすることができる。
【００８０】
上記、画像読取装置において、前記開閉部材は、閉じた状態において、前記装置本体と係合する係合部を有していることが好ましい。
【００８１】
この構成によれば、開閉部材は、閉じた状態において、装置本体と係合する係合部を有している。従って、インレット部を閉じることに加えて、係合部を利用して閉じることができるため、確実にインレット部を閉じることができる。
【符号の説明】
【００８２】
１，１Ａ…画像読取装置としてのスキャナー、２…装置本体、６…供給部、１８…排出部、２０…読取手段、３０…切換手段、５０，５０Ａ…インレット部、５２…インレット部に設置される磁気部材、５５…ケーブル、６０，６０Ａ…開閉部材、６０ａ…曲げ形状部が有する第１面、６０ｂ…曲げ形状部が有する第２面、６２…開閉部材に設置される磁気部材、６６…弾性部材としての戻しばね、６７…開閉部材に設置される係合部、Ｇ…載置面、Ｐ…原稿、Ｒ…原稿搬送経路、θ１…第１の傾斜角、θ２…第２の傾斜角、θ３…第３の傾斜角。
【図１】
2020120343.tif 000003
【図２】
2020120343.tif 000004
【図３】
2020120343.tif 000005
【図４】
2020120343.tif 000006
【図５】
2020120343.tif 000007
【図６】
2020120343.tif 000008
【図７】
2020120343.tif 000009
【図８】
2020120343.tif 000010
【図９】
2020120343.tif 000011
【図１０】
2020120343.tif 000012
【図１１】
2020120343.tif 000013
【図１２】
2020120343.tif 000014
【図１３】
2020120343.tif 000015